(57)【要約】【課題】低廉化する。【解決手段】現金自動預払機１は、防犯規格に応じて奥行が異なり紙幣を収納する金庫６と、金庫６の奥行に応じた奥行を有し金庫６の上側における右側に設けられた右側サイドパネル８ＵＲと、金庫６の奥行に応じた奥行を有し金庫６の上側における左側に設けられた左側サイドパネル８ＵＬとを含む上側筐体４と、少なくとも金庫６の前面を外部から覆うフロント扉２２と、右側サイドパネル８ＵＲ又は左側サイドパネル８ＵＬの少なくとも何れか一方とフロント扉２２との間に配され、防犯規格毎の金庫６の奥行の違いに応じた奥行を有し、フロント扉２２を支持する右側アタッチメント４２Ｒとを設ける。【選択図】図４
2020017014.tif 000002
【特許請求の範囲】
【請求項１】
規格に応じて奥行が異なり媒体を収納する金庫と、
前記金庫の奥行に応じた奥行を有し前記金庫の右側に設けられた右側サイドパネルと、前記金庫の奥行に応じた奥行を有し前記金庫の左側に設けられた左側サイドパネルとを含む上側筐体と、
少なくとも前記金庫の前面を外部から覆う前面扉と、
前記右側サイドパネル又は前記左側サイドパネルの少なくとも何れか一方と前記前面扉との間に配され、前記規格毎の前記金庫の奥行の違いに応じた奥行を有し、前記前面扉を支持するアタッチメントと
を有する媒体取引装置。
【請求項２】
少なくとも前記右側サイドパネル又は前記左側サイドパネルの何れか一方は、前記金庫の奥行によらず共通の前記右側サイドパネル又は前記左側サイドパネルが用いられる
請求項１に記載の媒体取引装置。
【請求項３】
前記右側サイドパネル及び前記左側サイドパネルの両方は、前記金庫の奥行によらず共通の前記右側サイドパネル及び前記左側サイドパネルが用いられる
請求項２に記載の媒体取引装置。
【請求項４】
前記右側サイドパネル及び前記左側サイドパネルの奥行は、複数の前記規格のうち奥行が短い前記金庫の奥行と同等の長さを有し、
前記アタッチメントは、前記金庫の奥行が長い前記媒体取引装置に前記右側サイドパネル及び前記左側サイドパネルが用いられる場合、前記前面扉が回動可能に支持される支点側において、前記右側サイドパネル又は前記左側サイドパネルの少なくとも何れか一方と前記前面扉との間に配される
請求項３に記載の媒体取引装置。
【請求項５】
前記前面扉は、支点側に設けられた扉側第１蝶番が前記アタッチメントのアタッチメント側蝶番に支持され、前記支点側に設けられた扉側第２蝶番が前記金庫の金庫側蝶番に支持される
請求項１に記載の媒体取引装置。
【請求項６】
前記アタッチメントは、前記金庫の上側における支点側に設けられた支点側アタッチメントと、前記金庫の上側における反支点側に設けられた反支点側アタッチメントとにより構成される
請求項１に記載の媒体取引装置。
【請求項７】
前記前面扉は、前記上側筐体における、前記金庫の反支点側の一部を覆う
請求項１に記載の媒体取引装置。
【請求項８】
前記アタッチメントは、前記前面扉が回動可能に支持される支点側において、前記右側サイドパネル又は前記左側サイドパネルの少なくとも何れか一方と前記前面扉との間に配され、前記右側サイドパネル又は前記左側サイドパネルに固定されるサイドパネル取付部と、前記前面扉の支点側を支持する蝶番取付部と、前記サイドパネル取付部と前記蝶番取付部とを連結させる連結部とを有する
請求項１に記載の媒体取引装置。
【請求項９】
前記サイドパネル取付部は、複数の平面で前記右側サイドパネル又は前記左側サイドパネルに固定される
請求項８に記載の媒体取引装置。
【請求項１０】
前記連結部は、上下方向に伸びる外壁板と、前記外壁板のそれぞれ上下端部から屈曲し上下方向に対向する上側板及び下側板とを有する
請求項８に記載の媒体取引装置。
【請求項１１】
前記蝶番取付部は、前記外壁板の前端部から屈曲し上下方向に伸び、前記前面扉を支持する蝶番が取り付けられる蝶番取付板である
請求項１０に記載の媒体取引装置。
【請求項１２】
前記蝶番取付部は、前記外壁板の前端部に固定され前記前面扉を支持する蝶番である
請求項１０に記載の媒体取引装置。
【請求項１３】
前記蝶番取付板は、前記下側板よりも下側まで伸び前記金庫に固定される前側蝶番取付板下側延伸部を有する
請求項１１に記載の媒体取引装置。
【請求項１４】
前記上側板は、前端部から屈曲し前記蝶番取付板に固定され、前記下側板は、前端部から屈曲し前記蝶番取付板に固定される
請求項１１に記載の媒体取引装置。
【請求項１５】
前記金庫の奥行は、防犯規格に応じて変化する
請求項１に記載の媒体取引装置。
【請求項１６】
前記金庫の扉の奥行は、防犯規格に応じて変化する
請求項１５に記載の媒体取引装置。
【発明の詳細な説明】
【技術分野】
【０００１】
本発明は媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、使用者（金融機関の顧客等）との取引内容に応じて、例えば該使用者に紙幣や硬貨等の現金を入金させる入金取引や、使用者へ現金を出金する出金取引等の各種取引を行う。また現金自動預払機の種類として、ある取引において使用者から入金された紙幣を次回以降の取引において再利用して他の使用者へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある（例えば、特許文献１参照）。この紙幣入出金機は、例えば使用者との間で紙幣の授受を行う接客部と、紙幣を搬送する搬送部と、投入された紙幣の金種及び真偽等を鑑別する鑑別部と、投入された紙幣を一時的に保留する一時保留部とを有している。また紙幣入出金機は、再利用可能な紙幣を金種ごとに分けて収納する紙幣収納庫と、再利用すべきでない紙幣を収納するリジェクト庫とを有している。
【０００４】
このような現金自動預払機は、直方体状の金庫と、該金庫の上側に配された箱状の装置本体とを中心に構成されていたものがある。装置本体は、該装置本体の右壁面を構成する右側サイドパネルと、左壁面を構成する左側サイドパネルとを有している。
【０００５】
金庫は、防犯規格に応じてその構造が異なっている。防犯規格は、例えばＵＬ２９１、ＣＥＮ−Ｌ、ＣＥＮ−ＩＶ等に分けられており、例えばＣＥＮ−Ｌ規格対応の金庫は、ＵＬ２９１規格対応の金庫に対し、溶断に対する強度を確保するため、金庫扉に防火板等が追加されている。よってＣＥＮ−Ｌ規格対応の金庫は、ＵＬ２９１規格対応の金庫よりも金庫扉が厚くなるため、奥行方向の寸法がＵＬ２９１規格対応の金庫と比較して大きくなる。
【０００６】
ＵＬ２９１規格対応の現金自動預払機であるＵＬ２９１規格対応型現金自動預払機１００１Ｕを図１５に示すように、ＵＬ２９１規格対応型現金自動預払機１００１Ｕ専用の右側サイドパネルである右側サイドパネル８ＵＲ及び左側サイドパネルである左側サイドパネル８ＵＬと、ＵＬ２９１規格対応の金庫であるＵＬ２９１規格対応金庫６Ｕとは、図示しない締結手段により固定されている。
【０００７】
ＵＬ２９１規格対応型現金自動預払機１００１Ｕは、開閉可能なフロント扉１０２２Ｕが設けられている。フロント扉１０２２Ｕは、右端部に設けられた蝶番部６０Ｕにより右側サイドパネル８ＵＲ及び金庫６Ｕに回動可能に固定されており、この蝶番部６０Ｕを支点として主に金庫扉を外部に対し露出又は遮蔽させるように開閉可能に構成されている。
【０００８】
ＵＬ２９１規格対応型現金自動預払機１００１Ｕの場合、金庫６Ｕの奥行方向（前後方向）の寸法は奥行Ｌ１に、右側サイドパネル８ＵＲ及び左側サイドパネル８ＵＬの奥行方向の寸法は金庫６Ｕと同様に奥行Ｌ１に、フロント扉１０２２Ｕの奥行方向の寸法は奥行Ｌ２に、蝶番部６０Ｕの奥行方向の寸法は奥行Ｌ３になっている。
【０００９】
一方ＣＥＮ−Ｌ規格対応の現金自動預払機であるＣＥＮ−Ｌ規格対応型現金自動預払機１００１Ｃを図１５と対応する部材に同一符号を付した図１６に示すように、ＣＥＮ−Ｌ規格対応型現金自動預払機１００１Ｃ専用の右側サイドパネルである右側サイドパネル８ＣＲ及び左側サイドパネルである左側サイドパネル８ＣＬと、ＣＥＮ−Ｌ規格対応の金庫であるＣＥＮ−Ｌ規格対応金庫６Ｃとは、図示しない締結手段により固定されている。
【００１０】
ＣＥＮ−Ｌ規格対応型現金自動預払機１００１Ｃは、開閉可能なフロント扉１０２２Ｃが設けられている。フロント扉１０２２Ｃは、右端部に設けられた蝶番部６０Ｃにより右側サイドパネル８ＣＲ及び金庫６Ｃに回動可能に固定されており、この蝶番部６０Ｃを支点として主に金庫扉を外部に対し露出又は遮蔽させるように開閉可能に構成されている。因みにフロント扉１０２２Ｃは、デザイン上の都合で前端の上端部が斜めの形状となっている。
【００１１】
ＣＥＮ−Ｌ規格対応型現金自動預払機１００１Ｃの場合、金庫６Ｃの奥行方向の寸法は金庫６Ｕの奥行Ｌ１よりも大きい奥行Ｌ４に、右側サイドパネル８ＣＲ及び左側サイドパネル８ＣＬの奥行方向の寸法は金庫６Ｃと同様に奥行Ｌ４に、フロント扉１０２２Ｃの奥行方向の寸法はフロント扉１０２２Ｕと同様の奥行Ｌ２に、蝶番部６０Ｃの奥行方向の寸法は金庫６Ｕと同様に奥行Ｌ３になっている。
【００１２】
金庫６Ｃの奥行Ｌ１は、金庫６Ｕの奥行Ｌ４よりも大きいため、ＣＥＮ−Ｌ規格対応型現金自動預払機１００１Ｃの右側サイドパネル８ＣＲ及び左側サイドパネル８ＣＬの奥行Ｌ４は、ＵＬ２９１規格対応型現金自動預払機１００１Ｕの右側サイドパネル８ＵＲ及び左側サイドパネル８ＵＬの奥行Ｌ１よりも大きくなっている。
【先行技術文献】
【特許文献】
【００１３】
【特許文献１】特開２０１３−１７４９４６号公報
【発明の概要】
【発明が解決しようとする課題】
【００１４】
このように現金自動預払機においては、ＵＬ２９１規格対応型現金自動預払機１００１Ｕには、ＵＬ２９１規格対応型現金自動預払機１００１Ｕ専用の右側サイドパネル８ＵＲ及び左側サイドパネル８ＵＬが使用されていたと共に、ＣＥＮ−Ｌ規格対応型現金自動預払機１００１Ｃには、ＣＥＮ−Ｌ規格対応型現金自動預払機１００１Ｃ専用の右側サイドパネル８ＣＲ及び左側サイドパネル８ＣＬが使用されていた。このため現金自動預払機は、防犯規格によって大きさが異なる複数種類の金庫毎に、専用の右側サイドパネル及び左側サイドパネルを用意しなければならず、コストダウン低減効果が損なわれていた。
【００１５】
本発明は以上の点を考慮してなされたもので、低廉化し得る媒体取引装置を提案しようとするものである。
【課題を解決するための手段】
【００１６】
かかる課題を解決するため本発明の媒体取引装置においては、規格に応じて奥行が異なり媒体を収納する金庫と、金庫の奥行に応じた奥行を有し金庫の右側に設けられた右側サイドパネルと、金庫の奥行に応じた奥行を有し金庫の左側に設けられた左側サイドパネルとを含む上側筐体と、少なくとも金庫を前面から外部から覆う前面扉と、右側サイドパネル又は左側サイドパネルの少なくとも何れか一方と前面扉との間に配され、規格毎の金庫の奥行の違いに応じた奥行を有し、前面扉を支持するアタッチメントとを設けるようにした。
【００１７】
本発明は、大きさが異なる複数種類の金庫に対し、共通のサイドパネルを使用できる。
【発明の効果】
【００１８】
本発明によれば、大きさが異なる複数種類の金庫に対し、共通のサイドパネルを使用でき、かくして低廉化し得る媒体取引装置を実現できる。
【図面の簡単な説明】
【００１９】
【図１】現金自動預払機の外観構成を示す斜視図である。
【図２】現金自動預払機の内部構成を示す左側面図である。
【図３】ＵＬ２９１規格対応型現金自動預払機の外観構成を示し、（Ａ）は右側面図、（Ｂ）は左側面図である。
【図４】第１の実施の形態によるＣＥＮ−Ｌ規格対応型現金自動預払機の外観構成を示し、（Ａ）は右側面図、（Ｂ）は左側面図である。
【図５】第１及び第３の実施の形態によるＵＬ２９１規格対応型現金自動預払機における上側筐体及びフロント扉の外観構成を示す平面図である。
【図６】第１及び第２の実施の形態によるＣＥＮ−Ｌ規格対応型現金自動預払機におけるフロント扉右側係合部の構成を示す斜視図である。
【図７】ＵＬ２９１規格対応型現金自動預払機におけるフロント扉右側係合部の構成を示す斜視図である。
【図８】ＵＬ２９１規格対応型現金自動預払機におけるフロント扉左側係合部の構成を示す斜視図である。
【図９】第２の実施の形態によるＣＥＮ−Ｌ規格対応型現金自動預払機の外観構成を示し、（Ａ）は右側面図、（Ｂ）は左側面図である。
【図１０】第２の実施の形態によるＣＥＮ−Ｌ規格対応型現金自動預払機におけるフロント扉左側係合部の構成を示す斜視図である。
【図１１】第３の実施の形態によるＣＥＮ−Ｌ規格対応型現金自動預払機の外観構成を示し、（Ａ）は右側面図、（Ｂ）は左側面図である。
【図１２】第３の実施の形態によるＣＥＮ−Ｌ規格対応型現金自動預払機におけるフロント扉右側係合部の構成を示す斜視図である。
【図１３】他の実施の形態によるＣＥＮ−Ｌ規格対応型現金自動預払機におけるフロント扉右側係合部の構成を示す斜視図である。
【図１４】他の実施の形態による右側アタッチメントの構成を示す斜視図である。
【図１５】従来のＵＬ２９１規格対応型現金自動預払機の外観構成（１）を示し、（Ａ）は右側面図、（Ｂ）は左側面図である。
【図１６】従来のＣＥＮ−Ｌ規格対応型現金自動預払機の外観構成（２）を示し、（Ａ）は右側面図、（Ｂ）は左側面図である。
【発明を実施するための形態】
【００２０】
以下、発明を実施するための形態（以下実施の形態とする）について、図面を用いて説明する。
【００２１】
［１．第１の実施の形態］
［１−１．現金自動預払機の全体構成］
図１に外観を示すように現金自動預払機１は、箱状の装置本体２を中心に構成されており、例えば金融機関や各種商業施設等に設置され、使用者（すなわち金融機関や商業施設の顧客等）との間で、入金処理や出金処理等の現金に関する取引を行う。この現金自動預払機１は、図３に示すＵＬ２９１規格対応の現金自動預払機であるＵＬ２９１規格対応型現金自動預払機１Ｕ又は、図４に示すＣＥＮ−Ｌ規格対応の現金自動預払機であるＣＥＮ−Ｌ規格対応型現金自動預払機１Ｃにより構成されている。以下ではＵＬ２９１規格対応型現金自動預払機１Ｕ及びＣＥＮ−Ｌ規格対応型現金自動預払機１Ｃをまとめて現金自動預払機１とも呼ぶ。
【００２２】
装置本体２は、上側の上側筐体４と下側の金庫６とにより構成されている。上側筐体４は、右側サイドパネル８ＵＲ、左側サイドパネル８ＵＬ、天板１０及び後面板１２により構成されており、それぞれ現金自動預払機１の内部空間の右側、左側、上側及び後側を覆うと共に、前側及び下側が開放されている。また上側筐体４は、該上側筐体４により囲まれた内部空間と外部とを連通させる筐体開口部が前面側に形成され、筐体開口部の上半分程度を開閉可能な応対部１４が前面側に設けられている。応対部１４は、右端部に設けられた図示しない蝶番により上側筐体４に回動可能に固定されており、この蝶番を支点として筐体開口部の上半分程度を開閉可能に構成されている。
【００２３】
金庫６は、上側筐体４の下方に配置されており、複数の紙幣収納庫を収納する紙幣ユニット３０（図２）を収容し、天板、底板、左側面板、右側面板及び背面板により囲まれた内部空間と外部とを連通させる金庫開口部が前面側に形成され、金庫開口部を開閉可能な図示しない金庫扉が開口側である前面側に設けられている。この金庫６は、図３に示すＵＬ２９１規格対応型現金自動預払機１Ｕに搭載される金庫６Ｕ又は、図４に示すＣＥＮ−Ｌ規格対応型現金自動預払機１Ｃに搭載される金庫６Ｃにより構成されている。以下では金庫６Ｕ及び金庫６Ｃをまとめて金庫６とも呼ぶ。
【００２４】
応対部１４は、その前側に使用者が対峙した状態で紙幣の投入やタッチパネルによる操作等をしやすい箇所に設けられている。この応対部１４は、カードレシート入出口１６、入出金口１８及び操作表示部２０が設けられており、使用者との間で例えば現金やカード等を直接やり取りすると共に、取引に関する情報の通知や操作指示の受付を行う。カードレシート入出口１６は、キャッシュカード等の各種カードが挿入されるか又は排出すると共に、取引処理の終了時に取引内容等を印字したレシートを発行する部分である。操作表示部２０は、取引に際して操作画面を表示するＬＣＤ（Liquid Crystal Display）と、取引の種類の選択、暗証番号や取引金額等を入力するタッチセンサとが一体化されたタッチパネルである。
【００２５】
以下では、現金自動預払機１のうち使用者が対峙する側を前側とし、その反対を後側とし、該前側に対峙した使用者から見て左及び右をそれぞれ左側及び右側とし、さらに上側及び下側を定義して説明する。
【００２６】
装置本体２は、前面側における応対部１４の下側に、開閉可能なフロント扉２２が設けられている。フロント扉２２は、右端部に設けられた後述する蝶番部６０（蝶番部６０Ｕ（図３）及び蝶番部６０Ｕ（図４））により装置本体２（上側筐体４及び金庫６）に回動可能に固定されており、この蝶番部６０を支点として筐体開口部の下半分程度と金庫６の前面とを開閉可能に構成されている。このフロント扉２２は、図３に示すＵＬ２９１規格対応型現金自動預払機１Ｕに用いられるフロント扉２２Ｕ又は、図４に示すＣＥＮ−Ｌ規格対応型現金自動預払機１Ｃに用いられるフロント扉２２Ｃにより構成されている。以下ではフロント扉２２Ｕ及びフロント扉２２Ｃをまとめてフロント扉２２とも呼ぶ。
【００２７】
蝶番部６０Ｕ（図３）は、フロント扉２２Ｕの支点側である閉鎖状態における右端部の上側に設けられた扉側第１蝶番としての蝶番２３Ｕと、蝶番２３Ｕの下側に設けられた扉側第２蝶番としての蝶番２４Ｕと、右側サイドパネル８ＵＲの右端部の前面に設けられ蝶番２３Ｕを支持するサイドパネル側蝶番としての蝶番５０と、金庫６Ｕの右端部の前面に設けられ蝶番２４Ｕを支持する金庫側蝶番としての蝶番７Ｕとにより構成されている。
【００２８】
蝶番部６０Ｃ（図４）は、フロント扉２２Ｃの支点側である閉鎖状態における右端部の上側に設けられた扉側第１蝶番としての蝶番２３Ｃと、蝶番２３Ｃの下側に設けられた扉側第２蝶番としての蝶番２４Ｃと、右側アタッチメント４２Ｒの右端部の前面に設けられ蝶番２３Ｃを支持するアタッチメント側蝶番としての蝶番５０と、金庫６Ｃの右端部の前面に設けられ蝶番２４Ｃを支持する金庫側蝶番としての蝶番７Ｃとにより構成されている。以下では蝶番部６０Ｕ及び蝶番部６０Ｃをまとめて蝶番部６０とも呼ぶ。
【００２９】
現金自動預払機１は、顧客との間で取引処理が行われる取引動作時の場合には応対部１４及びフロント扉２２を閉鎖することにより、現金自動預払機１の内部を保護する。一方、現金自動預払機１は、保守員や金融機関の行員等の作業者により保守作業が行われる保守作業時の場合には、必要に応じて応対部１４及びフロント扉２２を開放することにより、内部の各部に対する作業を容易に行わせ得る。
【００３０】
［１−２．現金自動預払機の内部構成］
図２に示すように現金自動預払機１の装置本体２は、内部に紙幣に関する種々の処理を行う複数の部分が組み込まれている。この紙幣は、例えば紙や樹脂等の材料により、薄い長方形の紙葉状に形成されている。
【００３１】
装置本体２内部の上側には、現金自動預払機１全体を制御する制御部ユニット２６と、現金自動預払機１内部の各所に電源を供給する電源ユニット２７とが搭載されており、該制御部ユニット２６及び該電源ユニット２７には、カード明細ユニット２８、紙幣ユニット２９及び紙幣ユニット３０のケーブルが接続されている。
【００３２】
また装置本体２内部における電源ユニット２７の下側には、上から下に向かって、カード明細ユニット２８、紙幣ユニット２９及び紙幣ユニット３０が、図示しないユニットベースとスライドレールとを介して装置本体２に取り付けられており、該スライドレールにより装置本体２に対し引き出し及び収納可能に構成されている。
【００３３】
カード明細ユニット２８は、各種カードに磁気記録された口座番号等の読み取りを行うと共にレシートに取引内容等を印字して排出する。紙幣ユニット２９は、例えば、使用者との間で紙幣の授受を行う接客部と、紙幣を搬送する搬送部と、投入された紙幣の金種及び真偽等を鑑別する鑑別部と、投入された紙幣を一時的に保留する一時保留部とが内蔵されており、上位からの指示により紙幣を入金又は出金する。紙幣ユニット３０内部は、紙幣を金種毎に分けて収納する複数個の紙幣収納庫が搭載されており、金庫６内部に収納されることにより、防犯能力を保っている。また紙幣ユニット３０は、金庫６の前面に設けられた図示しない金庫扉が開放されることにより、金庫６の外部に引き出されることが可能となる。
【００３４】
［１−３．金庫の構成］
金庫６は、防犯規格によってその構造が異なっている。防犯規格は、例えばＵＬ２９１、ＣＥＮ−Ｌ、ＣＥＮ−ＩＶ等に細かく分けられており、ＵＬ２９１、ＣＥＮ−Ｌ、ＣＥＮ−ＩＶの順番で、攻撃に対する強度が高くなるように設定されている。例えば金庫６Ｃは、金庫６Ｕに対し溶断に対する強度を確保するため、金庫扉に防火板等が追加されている。よって金庫６Ｃは金庫６Ｕよりも金庫扉が厚くなるため、奥行方向の寸法が金庫６Ｕと比較して大きくなる。具体的に、金庫６Ｕの奥行方向の寸法は奥行Ｌ１（図３）に、金庫６Ｃの奥行方向の寸法は奥行Ｌ４（図４）になっている。
【００３５】
図１５と対応する部材に同一符号を付した図３に示すＵＬ２９１規格対応型現金自動預払機１Ｕは、金庫６Ｕを搭載している。また図１６と対応する部材に同一符号を付した図４に示すＣＥＮ−Ｌ規格対応型現金自動預払機１Ｃは、金庫６Ｃを搭載している。ＵＬ２９１規格対応型現金自動預払機１Ｕ（図３）においては、右側サイドパネル８ＵＲ及び左側サイドパネル８ＵＬと金庫６Ｕとが図示しない締結手段により固定されている。またＣＥＮ−Ｌ規格対応型現金自動預払機１Ｃ（図４）においては、右側サイドパネル８ＵＲ及び左側サイドパネル８ＵＬと金庫６Ｃとが図示しない締結手段により固定されている。このようにＵＬ２９１規格対応型現金自動預払機１ＵとＣＥＮ−Ｌ規格対応型現金自動預払機１Ｃとでは、共通の右側サイドパネル８ＵＲ及び左側サイドパネル８ＵＬが用いられている。
【００３６】
［１−４．フロント扉の構成］
図４及び図５に示すようにＣＥＮ−Ｌ規格対応型現金自動預払機１Ｃのフロント扉２２Ｃは、平面視で英大文字の“Ｌ”のような形状であり、閉鎖状態において筐体開口部の下半分程度と金庫６Ｃの前面とを覆う前面遮蔽部２２Ｆと、前面遮蔽部２２Ｆの左端部から屈曲し左側サイドパネル８ＣＬの一部を覆う左面遮蔽部２２Ｌとにより形成されている。フロント扉２２Ｃとフロント扉２２Ｕ（図３）とは、左面遮蔽部２２Ｌの奥行が相違するもののそれ以外はほぼ同様に構成されていると共に、フロント扉２２Ｕはフロント扉１０２２Ｕ（図１５）と同様に構成されているため、フロント扉２２Ｕの詳細な説明は省略する。フロント扉２２Ｕ及び２２Ｃにおける前面遮蔽部２２Ｆの奥行方向の寸法は奥行Ｌ２に、フロント扉２２Ｃにおける左面遮蔽部２２Ｌ（すなわち左側面）の奥行方向の寸法は奥行Ｌ６になっている。
【００３７】
またフロント扉２２Ｃ（図４）の右端部には、上側に蝶番２３Ｃが、下側に蝶番２４Ｃがそれぞれ固定されている。フロント扉２２Ｃは、蝶番２３Ｃの図示しない支持棒が右側サイドパネル８ＵＲの前端に設けられた後述する蝶番５０の支点穴５１Ｈ（図６）に、蝶番２４Ｃの図示しない支持棒が金庫６Ｃの右端部の前端に設けられた蝶番７Ｃの図示しない支点穴にそれぞれ挿入されることにより、装置本体２に対し開閉可能に構成されている。
【００３８】
またフロント扉２２Ｃにおいて蝶番２３Ｃ及び蝶番２４Ｃが固定されている支点側とは逆側（閉鎖状態における左側）の端部である反支点側には、錠３２が実装されている。錠３２には、ロックレバー３３が固定されている。フロント扉２２Ｃは、閉鎖状態において錠３２に図示しない鍵が差し込まれて回動されることにより錠３２と共にロックレバー３３が回動し、左側サイドパネル８ＵＬのロック孔部３４（図８）にロックレバー３３が係止することにより、施錠される。またロックレバー３３は、左側サイドパネル８ＵＬに固定されたロック検知部３５の図示しない機構を施錠時において押下する構造となっており、その機構を介し図示しないスイッチを押下する。
【００３９】
［１−５．右側サイドパネルの構成］
右側サイドパネル８ＵＲは、側面視で略台形状であり、前下端部における、フロント扉２２Ｃの蝶番２３Ｃの後方において、上下方向に沿う前側アタッチメント取付板３７ｂが形成されていると共に、前側アタッチメント取付板３７ｂの上端部から上方に向かうに連れて後方へ傾斜する傾斜板３７ｃが形成されている。右側サイドパネル８ＵＲ及び左側サイドパネル８ＵＬの奥行方向の寸法は、金庫６Ｕと同様に奥行Ｌ１となっている。
【００４０】
フロント扉２２Ｃの支点である蝶番２３Ｃが蝶番５０に支持される箇所であるフロント扉右側係合部４４Ｒを図６に示すように、右側サイドパネル８ＵＲは、金属板が板金加工されることにより形成されており、上下方向に沿い右方を向く平面を有し右側サイドパネル８ＵＲの右壁面を構成する外壁板３７ａと、外壁板３７ａの前端部から左方へ屈曲し、上下方向に沿い前方を向く平面を有する前側アタッチメント取付板３７ｂと、外壁板３７ａから左方へ屈曲すると共に前側アタッチメント取付板３７ｂの上端部から後方へ向けて傾斜する傾斜板３７ｃと、前側アタッチメント取付板３７ｂの左端部から後方へ屈曲し、上下方向に沿い左方を向く平面を有する左側アタッチメント取付板３７ｄと、外壁板３７ａの下端部から左方へ屈曲し、前後方向に沿い下方を向く平面を有する下側金庫取付板３７ｅとを有している。
【００４１】
前側アタッチメント取付板３７ｂには、上下端部近傍に孔部３９ａ及び孔部３９ｂが、孔部３９ｂよりも僅かに上側に孔部３９ｃが、上下方向のほぼ中央部に孔部３９ｄがそれぞれ穿設されている。また左側アタッチメント取付板３７ｄには、上下端部近傍に孔部３９ｅ及び孔部３９ｆが穿設されている。さらに下側金庫取付板３７ｅには、左側アタッチメント取付板３７ｄよりも後方に孔部３９ｇが穿設されている。
【００４２】
右側サイドパネル８ＵＲは、ＵＬ２９１規格対応型現金自動預払機１Ｕに用いられる場合、図７に示すように、蝶番５０が取り付けられる。一方右側サイドパネル８ＵＲは、ＣＥＮ−Ｌ規格対応型現金自動預払機１Ｃに用いられる場合、図６に示すように、右側アタッチメント４２Ｒを介し蝶番５０が取り付けられる。
【００４３】
［１−６．右側アタッチメントの構成］
図４に示すように支点側アタッチメントとしての右側アタッチメント４２Ｒは、ＣＥＮ−Ｌ規格対応型現金自動預払機１Ｃにおいて右側サイドパネル８ＵＲと蝶番５０との間に配される。この右側アタッチメント４２Ｒの奥行方向の寸法は、奥行Ｌ５になっている。右側アタッチメント４２Ｒの奥行方向の寸法である奥行Ｌ５は、金庫６Ｃの奥行方向の寸法である奥行Ｌ４と金庫６Ｕの奥行方向の寸法である奥行Ｌ１との差分である奥行Ｌ４−奥行Ｌ１と同等である。
【００４４】
図６に示すように右側アタッチメント４２Ｒは、金属板が板金加工されることにより形成されており、上下方向に沿い右方を向く平面を有し、右側アタッチメント４２Ｒの右壁面を構成する外壁板４６ａと、外壁板４６ａの前端部から左方へ屈曲し、上下方向に沿い前方を向く平面を有する前側蝶番取付板４６ｂと、外壁板４６ａの上端部から左方へ屈曲し、前後方向に沿い上方を向く平面を有する上端板４６ｃと、外壁板４６ａの下端部から左方へ屈曲し、前後方向に沿い下方を向く平面を有する下側板としての下側金庫取付板４６ｄと、外壁板４６ａの後端部から左方へ屈曲し、上下方向に沿い後方を向く平面を有する後側サイドパネル取付板４６ｅと、後側サイドパネル取付板４６ｅの左端部から後方へ屈曲し、上下方向に沿い右方を向く平面を有する左側サイドパネル取付板４６ｆとを有している。以下では、後側サイドパネル取付板４６ｅ及び左側サイドパネル取付板４６ｆをまとめてサイドパネル取付部７０とも呼び、外壁板４６ａ、上端板４６ｃ及び下側金庫取付板４６ｄをまとめて連結部７２とも呼び、前側蝶番取付板４６ｂを蝶番取付部７４とも呼ぶ。
【００４５】
後側サイドパネル取付板４６ｅには、上下端部近傍において、右側サイドパネル８ＵＲにおける孔部３９ａと孔部３９ｂとの間隔と同等の間隔を空けて、孔部３９ａと孔部３９ｂと対向する位置に、孔部４８ａと孔部４８ｂとが穿設されている。また左側サイドパネル取付板４６ｆには、上下端部近傍において、右側サイドパネル８ＵＲにおける孔部３９ｅと孔部３９ｆとの間隔と同等の間隔を空けて、孔部３９ｅと孔部３９ｆと対向する位置に、孔部４８ｃと孔部４８ｄが穿設されている。前側蝶番取付板４６ｂにおける上下端部には、孔部４８ａ及び孔部４８ｂにリベットを固定する際に前側蝶番取付板４６ｂの前方から工具を孔部４８ａ及び孔部４８ｂにアクセスさせる切欠４９Ｕ及び４９Ｄが形成されている。また前側蝶番取付板４６ｂには、切欠４９Ｕよりも上側に孔部４８ｅが、上下方向のほぼ中央部に孔部４８ｆが穿設されている。さらに下側金庫取付板４６ｄには、左側サイドパネル取付板４６ｆよりも後方に孔部４８ｇが穿設されている。
【００４６】
［１−７．左側サイドパネルの構成］
フロント扉２２（フロント扉２２Ｕ及び２２Ｃ）の反支点側が左側サイドパネル８ＵＬに支持される箇所であるフロント扉左側係合部４４Ｌを図８に示すように、左側サイドパネル８ＵＬは、右側サイドパネル８ＵＲとほぼ左右対称に構成されている。具体的に左側サイドパネル８ＵＬは、上下方向に沿い左方を向く平面を有し左側サイドパネル８ＵＬの右壁面を構成する外壁板４０ａと、外壁板４０ａの前端部から右方へ屈曲し、上下方向に沿い前方を向く平面を有する前側板４０ｂと、外壁板４０ａから右方へ屈曲すると共に前側板４０ｂの上端部から後方へ向けて傾斜する傾斜板４０ｃと、前側板４０ｂの右端部から後方へ屈曲し、上下方向に沿い右方を向く平面を有する右側板４０ｄと、外壁板４０ａの下端部から右方へ屈曲し、前後方向に沿い下方を向く平面を有する下側金庫取付板４０ｅとを有している。
【００４７】
前側板４０ｂには、上下端部近傍に孔部４１ａ及び孔部４１ｂが穿設されている。また右側板４０ｄには、上下端部近傍に孔部４１ｅ及び孔部４１ｆが穿設されている。この孔部４１ａ、４１ｂ、４１ｅ及び孔部４１ｆは、第２の実施の形態において左側サイドパネル８ＵＬに左側アタッチメント１４２Ｌ（図１０）が固定される際に用いられる。さらに下側金庫取付板４０ｅには、右側板４０ｄよりも後方に孔部４１ｇが穿設されている。
【００４８】
前側板４０ｂには、ロックレバー３３（図３及び図４）を係止させるロック孔部３４が穿設されている。前側板４０ｂは、ロック孔部３４を介し後述するロック検知部３５にロックレバー３３（図３及び図４）を当接させる。
【００４９】
また左側サイドパネル８ＵＬは、外壁板３７ａよりも右側に、ロック検知部３５が図示しない締結手段により固定される。ロック検知部３５は、ロックレバー３３（図３及び図４）によりスイッチが押下されか否かの検出結果を制御部ユニット２６へ通知する。これに応じて制御部ユニット２６は、取得した検出結果に基づいてフロント扉２２が施錠されたか否かを検知する。
【００５０】
［１−８．蝶番の構成］
図３及び図４に示すように蝶番部６０（蝶番部６０Ｕ及び６０Ｃ）の奥行方向の寸法は奥行Ｌ３になっている。図６及び図７に示すように蝶番部６０における蝶番５０は、金属板が板金加工されることにより形成されており、支持部５１と固定板５２とにより構成されている。支持部５１は円筒形状であり、上下方向に沿う支点穴５１Ｈが内部に形成されている。固定板５２は、上下方向に沿う板状であり、右側サイドパネル８ＵＲの孔部３９ｄと孔部３９ｃとの間隔と、右側アタッチメント４２Ｒの孔部４８ｆと孔部４８ｅとの間隔と同等の間隔を空けて、孔部３９ｄと孔部３９ｃと、孔部４８ｆと孔部４８ｅと対向する位置に、孔部５３ａと孔部５３ｂとが穿設されている。
【００５１】
以上は主にＣＥＮ−Ｌ規格対応型現金自動預払機１Ｃについて説明したが、ＵＬ２９１規格対応型現金自動預払機１Ｕにおいても、錠３２、ロックレバー３３、ロック孔部３４及びロック検知部３５はＣＥＮ−Ｌ規格対応型現金自動預払機１Ｃと同様に構成されている。
【００５２】
［１−９．防犯規格毎の固定方法］
かかる構成において現金自動預払機１は、ＵＬ２９１規格対応型現金自動預払機１Ｕを構成する場合、図７に示すように右側サイドパネル８ＵＲの孔部３９ｄ及び孔部３９ｃにそれぞれ蝶番５０の孔部５３ａ及び孔部５３ｂがリベット止めされることにより、右側サイドパネル８ＵＲに蝶番５０が固定される。続いて現金自動預払機１は、金庫６Ｕの図示しない孔部に孔部３９ｇがリベット止めされることにより、金庫６Ｕに右側サイドパネル８ＵＲが固定される。続いて現金自動預払機１は、左側サイドパネル８ＵＬ（図８）にロック検知部３５が固定され、金庫６Ｕの図示しない孔部に孔部４１ｇがリベット止めされることにより、左側サイドパネル８ＵＬが金庫６Ｕに固定される。
【００５３】
一方現金自動預払機１は、ＣＥＮ−Ｌ規格対応型現金自動預払機１Ｃを構成する場合、図６に示すように右側サイドパネル８ＵＲの孔部３９ａ、孔部３９ｂ、孔部３９ｅ及び孔部３９ｆにそれぞれ右側アタッチメント４２Ｒの孔部４８ａ、孔部４８ｂ、孔部４８ｃ及び孔部４８ｄがリベット止めされることにより、右側サイドパネル８ＵＲに右側アタッチメント４２Ｒが固定される。続いて現金自動預払機１は、金庫６Ｃの図示しない孔部に孔部３９ｇ及び孔部４８ｇがリベット止めされることにより、金庫６Ｃに右側サイドパネル８ＵＲ及び右側アタッチメント４２Ｒが固定される。続いて現金自動預払機１は、右側サイドパネル８ＵＲに固定された右側アタッチメント４２Ｒの孔部４８ｆ及び孔部４８ｅにそれぞれ蝶番５０の孔部５３ａ及び孔部５３ｂがリベット止めされることにより、右側アタッチメント４２Ｒに蝶番５０が固定される。このようにＣＥＮ−Ｌ規格対応型現金自動預払機１Ｃは、右側アタッチメント４２Ｒを介し右側サイドパネル８ＵＲに蝶番５０が固定される。
【００５４】
［１−１０．効果等］
ここで、本実施の形態のようにＵＬ２９１規格対応型現金自動預払機１ＵとＣＥＮ−Ｌ規格対応型現金自動預払機１Ｃとに共通の右側サイドパネル８ＵＲ及び左側サイドパネル８ＵＬを使用する場合、ＣＥＮ−Ｌ規格対応型現金自動預払機１Ｃにおいては、金庫６Ｃの奥行Ｌ４よりも右側サイドパネル８ＵＲの奥行Ｌ１の方が短いため、右側サイドパネル８ＵＲの前側アタッチメント取付板３７ｂとフロント扉２２Ｃとの間に前後方向の隙間が生じてしまう。
【００５５】
これに対し現金自動預払機１は、ＵＬ２９１規格対応型現金自動預払機１Ｕを構成する場合、右側サイドパネル８ＵＲに蝶番５０を直接固定すると共に左側サイドパネル８ＵＬにロック検知部３５を取り付ける一方、ＣＥＮ−Ｌ規格対応型現金自動預払機１Ｃを構成する場合、右側サイドパネル８ＵＲに右側アタッチメント４２Ｒを介し蝶番５０を固定するようにした。このためＣＥＮ−Ｌ規格対応型現金自動預払機１Ｃは、右側サイドパネル８ＵＲの前側アタッチメント取付板３７ｂとフロント扉２２Ｃの支点側端部との間の隙間を埋めることができると共に、右側アタッチメント４２Ｒに固定した蝶番５０でフロント扉２２Ｃの蝶番２３Ｃを支持できる。
【００５６】
このように現金自動預払機１は、金庫６Ｕと金庫６Ｃとの奥行の違いを右側アタッチメント４２Ｒにより吸収できる。これにより現金自動預払機１は、複数の防犯規格のうち最も奥行が小さい金庫の奥行と同等の奥行を有する一種類の右側サイドパネル８ＵＲ及び左側サイドパネル８ＵＬをＵＬ２９１規格対応型現金自動預払機１ＵとＣＥＮ−Ｌ規格対応型現金自動預払機１Ｃとの両方に共通で使用することができる。
【００５７】
ＣＥＮ−Ｌ規格対応型現金自動預払機１ＣとＵＬ２９１規格対応型現金自動預払機１Ｕとの両方で共通の右側サイドパネル８ＵＲ及び左側サイドパネル８ＵＬを使用することで得られるコスト低減額は、右側サイドパネル８ＵＲ及び左側サイドパネル８ＵＬが右側アタッチメント４２Ｒと比べて大型であることもあり、右側アタッチメント４２Ｒを作成することで増えるコストと、フロント扉２２Ｃの左側面の奥行方向の寸法の奥行Ｌ６をフロント扉１０２２Ｃ（図１６）の奥行Ｌ２から伸ばすことで増えるコストとの和よりも大きい。このため現金自動預払機１は、結果的にトータルでのコスト低減を行うことができる。ＣＥＮ−Ｌ規格対応型現金自動預払機１ＣとＵＬ２９１規格対応型現金自動預払機１Ｕとの両方で共通の右側サイドパネル８ＵＲ及び左側サイドパネル８ＵＬを使用することにより得られるコスト低減額は、現金自動預払機１の製造ロット数が多いほど、一層顕著な効果を奏する。
【００５８】
また現金自動預払機１は、複数種類の防犯規格に対して共通の右側サイドパネル８ＵＲ及び左側サイドパネル８ＵＬを使用することにより、取り扱う部品数を抑えることができ、複数種類の防犯規格の現金自動預払機１を製造する際の部品管理や在庫管理等を簡略化できる。
【００５９】
さらにＣＥＮ−Ｌ規格対応型現金自動預払機１Ｃは、フロント扉２２Ｃの左面遮蔽部２２Ｌにより、上側筐体４における、前面遮蔽部２２Ｆの後端部から左側サイドパネル８ＵＬの前端部までの間の空間を覆うことができる。このためＣＥＮ−Ｌ規格対応型現金自動預払機１Ｃは、右側アタッチメント４２Ｒに加えて左側アタッチメントまでも作成する必要をなくすことができ、左側アタッチメントを作成することでコストが増えないようにできる。
【００６０】
さらにＣＥＮ−Ｌ規格対応型現金自動預払機１Ｃは、右側サイドパネル８ＵＲ（図６）の前側アタッチメント取付板３７ｂと右側アタッチメント４２Ｒの後側サイドパネル取付板４６ｅとが対向するようにすると共に、右側サイドパネル８ＵＲの左側アタッチメント取付板３７ｄと右側アタッチメント４２Ｒの左側サイドパネル取付板４６ｆとが対向するように、右側サイドパネル８ＵＲに右側アタッチメント４２Ｒを固定するようにした。このためＣＥＮ−Ｌ規格対応型現金自動預払機１Ｃは、複数の面で右側サイドパネル８ＵＲに右側アタッチメント４２Ｒを締結でき、１つの面のみで右側サイドパネル８ＵＲに右側アタッチメント４２Ｒを締結する場合と比較して、より一層強固に右側サイドパネル８ＵＲに右側アタッチメント４２Ｒを固定できる。
【００６１】
以上の構成によれば現金自動預払機１は、防犯規格に応じて奥行が異なり媒体としての紙幣を収納する金庫６と、金庫６の奥行に応じた奥行を有し金庫６の上側における右側に設けられた右側サイドパネル８ＵＲと、金庫６の奥行に応じた奥行を有し金庫６の上側における左側に設けられた左側サイドパネル８ＵＬとを含む上側筐体４と、少なくとも金庫６の前面を外部から覆うフロント扉２２と、右側サイドパネル８ＵＲ又は左側サイドパネル８ＵＬの少なくとも何れか一方とフロント扉２２との間に配され、防犯規格毎の金庫６の奥行の違いに応じた奥行を有し、フロント扉２２を支持する右側アタッチメント４２Ｒとを設けるようにした。
【００６２】
これにより現金自動預払機１は、防犯規格に応じて大きさが異なる複数種類の金庫６に対し、共通の右側サイドパネル８ＵＲ及び左側サイドパネル８ＵＬを使用できる。
【００６３】
［２．第２の実施の形態］
［２−１．現金自動預払機の構成］
第２の実施の形態による現金自動預払機１０１（図１及び図２）は、第１の実施の形態による現金自動預払機１と比較して、ＣＥＮ−Ｌ規格対応型現金自動預払機１０１ＣがＣＥＮ−Ｌ規格対応型現金自動預払機１Ｃと相違する一方、ＵＬ２９１規格対応型現金自動預払機１０１ＵはＵＬ２９１規格対応型現金自動預払機１Ｕと同等である。
【００６４】
図４と対応する部材に同一符号を付した図９に示すように、第２の実施の形態によるＣＥＮ−Ｌ規格対応型現金自動預払機１０１Ｃは、第１の実施の形態によるＣＥＮ−Ｌ規格対応型現金自動預払機１Ｃ（図４）と比較して、フロント扉２２Ｃに代わるフロント扉１２２Ｃを有すると共に左側アタッチメント１４２Ｌが追加されている点において相違するものの、他の点については同様に構成されている。
【００６５】
［２−２．フロント扉の構成］
フロント扉１２２Ｃは、左面遮蔽部１２２Ｌの前後方向の長さが、フロント扉２２Ｃの左面遮蔽部２２Ｌよりも短くなっている。このためフロント扉１２２Ｃの左側面の奥行方向の寸法である奥行Ｌ２は、ＣＥＮ−Ｌ規格対応型現金自動預払機１Ｃのフロント扉２２Ｃの奥行方向の寸法である奥行Ｌ６よりも短くなっており、その差分である奥行Ｌ６−奥行Ｌ２は、金庫６Ｃの奥行Ｌ４と金庫６Ｕの奥行Ｌ１との差分である奥行Ｌ４−奥行Ｌ１と同等である。
【００６６】
ＣＥＮ−Ｌ規格対応型現金自動預払機１０１Ｃにおいてフロント扉１２２Ｃは、閉鎖状態において、錠３２に図示しない鍵が差し込まれて回動されることにより錠３２と共にロックレバー３３が回動し、左側サイドパネル８ＵＬに固定された左側アタッチメント１４２Ｌのロック孔部６６（図１０）にロックレバー３３が係止することにより、施錠される。
【００６７】
［２−３．左側アタッチメントの構成］
図８と対応する部材に同一符号を付した図１０に示すように、反支点側アタッチメントとしての左側アタッチメント１４２Ｌは、右側アタッチメント４２Ｒ（図６）とほぼ左右対称に構成されているものの、ロック検知部６７が内蔵されている。図１０は、フロント扉１２２Ｃの反支点側が左側サイドパネル８ＵＬに固定された左側アタッチメント１４２Ｌに支持される箇所であるフロント扉左側係合部１４４Ｌを示している。
【００６８】
左側アタッチメント１４２Ｌは、金属板が板金加工されることにより形成されており、上下方向に沿い右方を向く平面を有し、左側アタッチメント１４２Ｌの左壁面を構成する外壁板６２ａと、外壁板６２ａの前端部から右方へ屈曲し、上下方向に沿い前方を向く平面を有する前側板６２ｂと、外壁板６２ａの上端部から右方へ屈曲し、前後方向に沿い上方を向く平面を有する上端板６２ｃと、外壁板６２ａの下端部から右方へ屈曲し、前後方向に沿い下方を向く平面を有する下側金庫取付板６２ｄと、外壁板６２ａの後端部から右方へ屈曲し、上下方向に沿い後方を向く平面を有する後側サイドパネル取付板６２ｅと、後側サイドパネル取付板６２ｅの右端部から後方へ屈曲し、上下方向に沿い左方を向く平面を有する右側サイドパネル取付板６２ｆを有している。
【００６９】
後側サイドパネル取付板６２ｅには、上下端部近傍において、左側サイドパネル８ＵＬにおける孔部４１ａと孔部４１ｂとの間隔と同等の間隔を空けて、孔部４１ａと孔部４１ｂと対向する位置に、孔部６４ａと孔部６４ｂとが穿設されている。また右側サイドパネル取付板６２ｆには、上下端部近傍において、左側サイドパネル８ＵＬにおける孔部４１ｅと孔部４１ｆとの間隔と同等の間隔を空けて、孔部４１ｅと孔部４１ｆと対向する位置に、孔部６４ｃと孔部６４ｄが穿設されている。前側板６２ｂにおける上下端部には、孔部６４ａ及び孔部６４ｂにリベットを固定する際に前側板６２ｂの前方から工具を孔部６４ａ及び孔部６４ｂにアクセスさせる切欠６５Ｕ及び６５Ｄが形成されている。さらに下側金庫取付板６２ｄには、右側サイドパネル取付板６２ｆよりも後方に孔部６４ｇが穿設されている。
【００７０】
前側板６２ｂには、ロックレバー３３（図９）を係止させるロック孔部６６が穿設されている。前側板６２ｂは、ロック孔部６６を介し、ロック検知部３５（図８）と同様に構成されたロック検知部６７にロックレバー３３を当接させる。
【００７１】
また左側アタッチメント１４２Ｌは、外壁板６２ａよりも右側にロック検知部６７が図示しない締結手段により固定されている。ロック検知部６７は、ロックレバー３３によりスイッチが押下されか否かの検出結果を制御部ユニット２６へ通知する。これに応じて制御部ユニット２６は、取得した検出結果に基づいてフロント扉１２２Ｃが施錠されたか否かを検知する。
【００７２】
右側アタッチメント４２Ｒ及び左側アタッチメント１４２Ｌの奥行方向の寸法である奥行Ｌ５は、金庫６Ｃの奥行方向の寸法である奥行Ｌ４と金庫６Ｕの奥行方向の寸法である奥行Ｌ１との差分である奥行Ｌ４−奥行Ｌ１と同等である。
【００７３】
［２−４．左側サイドパネルの構成］
左側サイドパネル８ＵＬは、ＣＥＮ−Ｌ規格対応型現金自動預払機１０１Ｃに用いられる場合、図１０に示すように、ロック検知部３５は内蔵されないと共に、ロック検知部６７が内蔵された左側アタッチメント１４２Ｌが取り付けられる。一方左側サイドパネル８ＵＬは、ＵＬ２９１規格対応型現金自動預払機１０１Ｕに用いられる場合、図８に示したように、ロック検知部３５が図示しない締結手段により固定される。
【００７４】
［２−５．防犯規格毎の固定方法］
かかる構成において現金自動預払機１０１は、ＵＬ２９１規格対応型現金自動預払機１０１Ｕを構成する場合、ＵＬ２９１規格対応型現金自動預払機１Ｕと同様に、右側サイドパネル８ＵＲ（図７）に蝶番５０が固定され、左側サイドパネル８ＵＬ（図８）にロック検知部３５が固定される。
【００７５】
一方現金自動預払機１０１は、ＣＥＮ−Ｌ規格対応型現金自動預払機１０１Ｃを構成する場合、ＣＥＮ−Ｌ規格対応型現金自動預払機１Ｃと同様に、右側サイドパネル８ＵＲ（図６）に右側アタッチメント４２Ｒが固定され、右側アタッチメント４２Ｒに蝶番５０が固定される。さらにＣＥＮ−Ｌ規格対応型現金自動預払機１０１Ｃは、左側サイドパネル８ＵＬ（図１０）の孔部４１ａ、孔部４１ｂ、孔部４１ｅ及び孔部４１ｆにそれぞれ左側アタッチメント１４２Ｌの孔部６４ａ、孔部６４ｂ、孔部６４ｃ及び孔部６４ｄがリベット止めされることにより、左側サイドパネル８ＵＬに左側アタッチメント１４２Ｌが固定される。このようにＣＥＮ−Ｌ規格対応型現金自動預払機１０１Ｃは、右側アタッチメント４２Ｒを介し右側サイドパネル８ＵＲに蝶番５０が固定されると共に、左側サイドパネル８ＵＬに左側アタッチメント１４２Ｌが固定される。
【００７６】
［２−６．効果等］
以上の構成において現金自動預払機１０１は、ＵＬ２９１規格対応型現金自動預払機１０１Ｕを構成する場合、右側サイドパネル８ＵＲに蝶番５０を直接固定すると共に左側サイドパネル８ＵＬにロック検知部３５を取り付ける一方、ＣＥＮ−Ｌ規格対応型現金自動預払機１０１Ｃを構成する場合、右側サイドパネル８ＵＲに右側アタッチメント４２Ｒを介し蝶番５０を固定すると共に左側サイドパネル８ＵＬに左側アタッチメント１４２Ｌを固定するようにした。
【００７７】
このため現金自動預払機１０１は、右側サイドパネル８ＵＲと右側サイドパネル８ＣＲとの奥行の違いと、左側サイドパネル８ＵＬと左側サイドパネル８ＣＬとの奥行の違いとを、それぞれ右側アタッチメント４２Ｒ及び左側アタッチメント１４２Ｌにより吸収できる。
【００７８】
これにより現金自動預払機１０１は、一種類の右側サイドパネル８ＵＲ及び左側サイドパネル８ＵＬをＵＬ２９１規格対応型現金自動預払機１０１ＵとＣＥＮ−Ｌ規格対応型現金自動預払機１０１Ｃとの両方に共通で使用することができる。
【００７９】
ＣＥＮ−Ｌ規格対応型現金自動預払機１０１ＣとＵＬ２９１規格対応型現金自動預払機１０１Ｕとの両方で共通の右側サイドパネル８ＵＲ及び左側サイドパネル８ＵＬを使用することで得られるコスト低減額は、右側アタッチメント４２Ｒ及び左側アタッチメント１４２Ｌを作成することで増えるコストより大きいため、現金自動預払機１０１は、結果的にトータルでのコスト低減を行うことができる。
【００８０】
また現金自動預払機１０１は、フロント扉１２２Ｃの左面遮蔽部１２２Ｌの奥行Ｌ２をフロント扉２２Ｃの左面遮蔽部２２Ｌの奥行Ｌ６（図４）よりも小さくすることにより、フロント扉１２２Ｃの製造コストをフロント扉２２Ｃよりも低廉化できるものの、左側サイドパネル８ＵＬの前側板４０ｂとフロント扉１２２Ｃとの間に前後方向の隙間が生じてしまう。
【００８１】
これに対し現金自動預払機１０１は、ＣＥＮ−Ｌ規格対応型現金自動預払機１０１Ｃを構成する場合、左側サイドパネル８ＵＬに左側アタッチメント１４２Ｌを固定し、該左側アタッチメント１４２Ｌのロック孔部６６にロックレバー３３を係止させるようにした。このためＣＥＮ−Ｌ規格対応型現金自動預払機１０１Ｃは、左側サイドパネル８ＵＬの前側板４０ｂとフロント扉１２２Ｃの反支点側端部との間の隙間を埋めることができると共に、左側アタッチメント１４２Ｌに設けたロック孔部６６にロックレバー３３を係止させることができる。
【００８２】
その他の点においても、第２の実施の形態による現金自動預払機１０１は、第１の実施の形態による現金自動預払機１と同様の作用効果を奏し得る。
【００８３】
［３．第３の実施の形態］
［３−１．現金自動預払機の構成］
第３の実施の形態による現金自動預払機２０１（図１及び図２）は、第１の実施の形態による現金自動預払機１と比較して、ＣＥＮ−Ｌ規格対応型現金自動預払機２０１ＣがＣＥＮ−Ｌ規格対応型現金自動預払機１Ｃと相違する一方、ＵＬ２９１規格対応型現金自動預払機２０１ＵはＵＬ２９１規格対応型現金自動預払機１Ｕと同等である。
【００８４】
［３−２．蝶番の構成］
図４と対応する部材に同一符号を付した図１１と、図６と対応する部材に同一符号を付した図１２とに示すように、ＣＥＮ−Ｌ規格対応型現金自動預払機２０１Ｃは、ＣＥＮ−Ｌ規格対応型現金自動預払機１Ｃと比較して、右側アタッチメント４２Ｒ（図４及び図６）が省略されていると共に、蝶番５０に変わる蝶番２５０を有する点において相違するものの、他の点については同様に構成されている。蝶番２５０は、第１の実施の形態による右側アタッチメント４２Ｒと蝶番５０とを一体化したような形状となっている。図１２は、蝶番２５０が右側サイドパネル８ＵＲに支持される箇所であるフロント扉右側係合部２４４Ｒを示している。
【００８５】
蝶番２５０は、金属板が板金加工されることにより形成されており、支持部２５１と固定部２５２とにより構成されている。支持部２５１は支持部５１（図６）と同様に構成されている。固定部２５２は、右側アタッチメント４２Ｒ（図６）から前側蝶番取付板４６ｂを省略したような形状となっている。具体的に固定部２５２は、上下方向に沿い右方を向く平面を有し、蝶番２５０の右壁面を構成する外壁板２４６ａと、外壁板２４６ａの上端部から左方へ屈曲し、前後方向に沿い上方を向く平面を有する上端板２４６ｃと、外壁板２４６ａの下端部から左方へ屈曲し、前後方向に沿い下方を向く平面を有する下側金庫取付板２４６ｄと、外壁板２４６ａの後端部から左方へ屈曲し、上下方向に沿い後方を向く平面を有する後側サイドパネル取付板２４６ｅと、後側サイドパネル取付板２４６ｅの左端部から後方へ屈曲し、上下方向に沿い右方を向く平面を有する左側サイドパネル取付板２４６ｆとを有している。支持部２５１は、外壁板２４６ａの前端に固定されている。図１１に示すように、ＣＥＮ−Ｌ規格対応型現金自動預払機２０１Ｃにおいては、扉側第１蝶番としての蝶番２３Ｃと、扉側第２蝶番としての蝶番２４Ｃと、アタッチメント側蝶番としての蝶番２５０の支持部２５１と、金庫側蝶番としての蝶番７Ｃとにより、蝶番部２６０Ｃが構成されている。
【００８６】
後側サイドパネル取付板２４６ｅには、上下端部近傍において、右側サイドパネル８ＵＲにおける孔部３９ａと孔部３９ｂとの間隔と同等の間隔を空けて、孔部３９ａと孔部３９ｂと対向する位置に、孔部２４８ａと孔部２４８ｂとが穿設されている。また左側サイドパネル取付板２４６ｆには、上下端部近傍において、右側サイドパネル８ＵＲにおける孔部３９ｅと孔部３９ｆとの間隔と同等の間隔を空けて、孔部３９ｅと孔部３９ｆと対向する位置に、孔部２４８ｃと孔部２４８ｄとが穿設されている。さらに下側金庫取付板２４６ｄには、左側サイドパネル取付板２４６ｆよりも後方に孔部２４８ｇが穿設されている。
【００８７】
フロント扉２２Ｃの左側面の奥行方向の寸法である奥行Ｌ６は、ＣＥＮ−Ｌ規格対応型現金自動預払機１００１Ｃのフロント扉１０２２Ｃ（図１６）の奥行方向の寸法である奥行Ｌ２よりも大きくなっており、その増分である奥行Ｌ６−奥行Ｌ２は、金庫６Ｃの奥行Ｌ４と金庫６Ｕの奥行Ｌ１との差分である奥行Ｌ４−奥行Ｌ１と同等である。
【００８８】
また蝶番２５０の奥行方向の寸法である奥行Ｌ７は、ＣＥＮ−Ｌ規格対応型現金自動預払機１００１Ｃの蝶番部６０Ｃ（図１６）の奥行方向の寸法である奥行Ｌ３よりも大きくなっており、その増分である奥行Ｌ７−奥行Ｌ３は、金庫６Ｃの奥行Ｌ４と金庫６Ｕの奥行Ｌ１との差分である奥行Ｌ４−奥行Ｌ１と同等である。
【００８９】
［３−３．防犯規格毎の固定方法］
かかる構成において現金自動預払機２０１は、ＵＬ２９１規格対応型現金自動預払機２０１Ｕを構成する場合、ＵＬ２９１規格対応型現金自動預払機１Ｕと同様に、右側サイドパネル８ＵＲ（図７）に蝶番５０が固定され、左側サイドパネル８ＵＬ（図８）にロック検知部３５が固定される。
【００９０】
一方現金自動預払機２０１は、ＣＥＮ−Ｌ規格対応型現金自動預払機２０１Ｃを構成する場合、右側サイドパネル８ＵＲ（図１２）の孔部３９ａ、孔部３９ｂ、孔部３９ｅ及び孔部３９ｆにそれぞれ蝶番２５０の孔部２４８ａ、孔部２４８ｂ、孔部２４８ｃ及び孔部２４８ｄがリベット止めされることにより、右側サイドパネル８ＵＲに蝶番２５０が固定される。続いてＣＥＮ−Ｌ規格対応型現金自動預払機２０１Ｃは、金庫６Ｃの図示しない孔部に孔部３９ｇ及び孔部２４８ｇがリベット止めされることにより、金庫６Ｃに右側サイドパネル８ＵＲ及び蝶番２５０が固定される。このようにＣＥＮ−Ｌ規格対応型現金自動預払機２０１Ｃは、右側サイドパネル８ＵＲに蝶番２５０が直接固定される。
【００９１】
［３−４．効果等］
以上の構成において現金自動預払機２０１は、蝶番２５０を右側アタッチメント４２Ｒと蝶番５０とを一体化したような形状にすると共に、蝶番２５０の奥行方向の寸法を蝶番部６０Ｃ（図１６）よりも伸ばし、右側サイドパネル８ＵＲに蝶番２５０を固定するようにした。これにより現金自動預払機２０１は、右側サイドパネル８ＵＲ及び左側サイドパネル８ＵＬを、ＵＬ２９１規格対応型現金自動預払機２０１ＵとＣＥＮ−Ｌ規格対応型現金自動預払機２０１Ｃとの両方で共通に使用することができる。
【００９２】
ＣＥＮ−Ｌ規格対応型現金自動預払機２０１ＣとＵＬ２９１規格対応型現金自動預払機２０１Ｕとの両方で共通の右側サイドパネル８ＵＲ及び左側サイドパネル８ＵＬを使用することで得られるコスト低減額は、蝶番２５０の奥行方向の寸法の奥行Ｌ７を蝶番部６０Ｃ（図１６）の奥行Ｌ３から伸ばすことで増えるコストと、フロント扉２２Ｃの左側面の奥行方向の寸法の奥行Ｌ６をフロント扉１０２２Ｃ（図１６）の奥行Ｌ２から伸ばすことで増えるコストとの和よりも大きい。このため現金自動預払機２０１は、結果的にトータルでのコスト低減を行うことができる。
【００９３】
その他の点においても、第３の実施の形態による現金自動預払機２０１は、第１の実施の形態による現金自動預払機１と同様の作用効果を奏し得る。
【００９４】
［４．他の実施の形態］
なお上述した第１の実施の形態においては、フロント扉右側係合部４４Ｒの右側アタッチメント４２Ｒ（図６）において前側蝶番取付板４６ｂを上端板４６ｃと下側金庫取付板４６ｄとの間に配する場合について述べた。本発明はこれに限らず、図６と対応する部材に同一符号を付した、図１３に示すフロント扉右側係合部３４４Ｒの右側アタッチメント３４２Ｒのように、右側アタッチメント３４２Ｒの前側蝶番取付板３４６ｂを下側金庫取付板４６ｄよりも下方まで伸ばして前側蝶番取付板下側延伸部３４６ｂ１を形成し、該前側蝶番取付板下側延伸部３４６ｂ１に孔部３４８ｈを穿設し、金庫６Ｃの図示しない孔部に孔部３４８ｈをリベット止めすることにより、金庫６Ｃに右側サイドパネル８ＵＲを固定しても良い。この場合、右側アタッチメント４２Ｒ（図６）と比較して、孔部４８ｇに加えて孔部３４８ｈで右側アタッチメント３４２Ｒを右側サイドパネル８ＵＲに固定できる。このため右側アタッチメント３４２Ｒは、右側アタッチメント４２Ｒ（図６）と比較して、より一層強固に右側サイドパネル８ＵＲに固定されることができ、セキュリティを保つために比較的重量が大きいフロント扉２２Ｃを確実に支持できると共に、フロント扉２２Ｃのロックレバー３３をロック孔部３４に係止させる際の位置精度を高めることができる。第２及び第３の実施の形態においても同様である。
【００９５】
また上述した第１の実施の形態においては、右側アタッチメント４２Ｒ（図６）において、前側蝶番取付板４６ｂにおける上端及び下端それぞれに切欠４９Ｕ及び４９Ｄを形成する場合について述べた。本発明はこれに限らず、図６の右側アタッチメント４２Ｒと対応する部材に同一符号を付した図１４に示す右側アタッチメント４４２Ｒのように、上端板４４６ｃの前端部を延伸して下方へ屈曲し上端板延伸部４４６ｃ１を形成し、該上端板延伸部４４６ｃ１と前側蝶番取付板４４６ｂとを溶接で固定すると共に、下側金庫取付板４４６ｄの前端部を延伸して上方へ屈曲し下側金庫取付板延伸部４４６ｄ１を形成し、該下側金庫取付板延伸部４４６ｄ１と前側蝶番取付板４４６ｂとを溶接で固定しても良い。その場合、切欠４９Ｕは前側蝶番取付板４４６ｂにおける上端板延伸部４４６ｃ１との固定箇所よりも下側に、切欠４９Ｄは前側蝶番取付板４４６ｂにおける下側金庫取付板延伸部４４６ｄ１との固定箇所よりも上側に、それぞれ設ければ良い。この場合、右側アタッチメント４２Ｒ（図６）と比較して、前側蝶番取付板４４６ｂを上端板延伸部４４６ｃ１及び下側金庫取付板延伸部４４６ｄ１で支持できる。このため右側アタッチメント４４２Ｒは、右側アタッチメント４２Ｒ（図６）と比較して、より一層強度を高めることができ、比較的重量が大きいフロント扉２２Ｃを確実に支持できると共に、フロント扉２２Ｃのロックレバー３３をロック孔部３４に係止させる際の位置精度を高めることができる。第２及び第３の実施の形態においても同様である。
【００９６】
さらに上述した第１の実施の形態においては、ＣＥＮ−Ｌ規格対応型現金自動預払機１ＣとＵＬ２９１規格対応型現金自動預払機１Ｕとの右側サイドパネル８ＵＲ及び左側サイドパネル８ＵＬを共通化させる場合について述べた。本発明はこれに限らず、右側アタッチメント４２Ｒの奥行とフロント扉２２Ｃの左面遮蔽部２２Ｌの奥行とを適宜変更することにより、例えばＣＥＮ−ＩＶ等の他の種々の防犯規格に対応した現金自動預払機とも右側サイドパネル８ＵＲ及び左側サイドパネル８ＵＬを共通化させても良い。第２及び第３の実施の形態においても同様である。
【００９７】
さらに上述した第１の実施の形態においては、ＣＥＮ−Ｌ規格対応型現金自動預払機１ＣとＵＬ２９１規格対応型現金自動預払機１Ｕとで右側サイドパネル８ＵＲ及び左側サイドパネル８ＵＬを共通化させる場合について述べた。本発明はこれに限らず、ＣＥＮ−Ｌ規格対応型現金自動預払機１ＣとＵＬ２９１規格対応型現金自動預払機１Ｕとで、少なくとも右側サイドパネル８ＵＲ又は左側サイドパネル８ＵＬの何れか一方を共通化させれば良い。第２及び第３の実施の形態においても同様である。
【００９８】
さらに上述した第３の実施の形態の蝶番２５０（図１２）において、第１の実施の形態による右側アタッチメント４２Ｒ（図６）の前側蝶番取付板４６ｂのように前側の板を形成することにより、強度を高めても良い。
【００９９】
さらに上述した第１の実施の形態においては、フロント扉２２の右端が支点側であり、左端が反支点側である場合について述べた。本発明はこれに限らず、フロント扉２２の左端が支点側であり、右端が反支点側であっても良く、その場合、右側サイドパネル８ＵＲ、左側サイドパネル８ＵＬ、右側アタッチメント４２Ｒ及び蝶番５０を左右反転させたような構成とすれば良い。第２及び第３の実施の形態においても同様である。
【０１００】
さらに上述した実施の形態においては、顧客との間で紙幣に関する取引処理を行う現金自動預払機１、１０１及び２０１に本発明を適用する場合について述べた。本発明はこれに限らず、防犯規格によって金庫の寸法が変わる例えば各種金券や証券等、或いは入場券や乗車券のような種々の紙葉状の媒体を取り扱う種々の装置に本発明を適用しても良い。
【０１０１】
さらに上述した実施の形態においては、防犯規格に応じて金庫６の寸法が変わる現金自動預払機１、１０１及び２０１に本発明を適用する場合について述べた。本発明はこれに限らず、防犯規格以外の種々の要因に応じて金庫６の寸法が変わる現金自動預払機に本発明を適用しても良い。
【０１０２】
さらに上述した第１の実施の形態においては、金庫としての金庫６Ｃと、上側筐体としての上側筐体４と、前面扉としてのフロント扉２２Ｃと、アタッチメントとしての右側アタッチメント４２Ｒとによって、媒体取引装置としての現金自動預払機１を構成する場合について述べた。本発明はこれに限らず、例えば、その他種々の構成でなる金庫と、上側筐体と、前面扉と、アタッチメントとによって、媒体取引装置を構成しても良い。
【０１０３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【産業上の利用可能性】
【０１０４】
本発明は、例えば使用者との間で紙幣に関する入金取引や出金取引を行う現金自動預払機に組み込まれる紙幣入出金機で利用できる。
【符号の説明】
【０１０５】
１Ｃ、１０１Ｃ、２０１Ｃ、１００１Ｃ……ＣＥＮ−Ｌ規格対応型現金自動預払機、１Ｕ、１０１Ｕ、２０１Ｕ、１００１Ｕ……ＵＬ２９１規格対応型現金自動預払機、１、１０１、２０１……現金自動預払機、２……装置本体、４……上側筐体、６、６Ｕ、６Ｃ……金庫、７Ｕ、７Ｃ……蝶番、８ＵＲ……右側サイドパネル、８ＣＲ……右側サイドパネル、８ＵＬ……左側サイドパネル、８ＣＬ……左側サイドパネル、１０……天板、１２……後面板、１４……応対部、１６……カードレシート入出口、１８……入出金口、２０……操作表示部、２２Ｕ、２２Ｃ、１２２Ｃ、１０２２Ｕ、１０２２Ｃ……フロント扉、２２Ｆ……前面遮蔽部、２２Ｌ、１２２Ｌ……左面遮蔽部、２３Ｕ、２３Ｃ、２４Ｕ、２４Ｃ……蝶番、２６……制御部ユニット、２７……電源ユニット、２８……カード明細ユニット、２９、３０……紙幣ユニット、３２……錠、３３……ロックレバー、３４……ロック孔部、３５……ロック検知部、３７ａ……外壁板、３７ｂ……前側アタッチメント取付板、３７ｃ……傾斜板、３７ｄ……左側アタッチメント取付板、３７ｅ……下側金庫取付板、３９ａ、３９ｂ、３９ｃ、３９ｄ、３９ｅ、３９ｆ、３９ｇ……孔部、４０ａ……外壁板、４０ｂ……前側板、４０ｃ……傾斜板、４０ｄ……右側板、４０ｅ……下側金庫取付板、４１ａ、４１ｂ、４１ｅ、４１ｇ……孔部、４２Ｒ、３４２Ｒ、４４２Ｒ……右側アタッチメント、１４２Ｌ……左側アタッチメント、４４Ｒ、２４４Ｒ、３４４Ｒ……フロント扉右側係合部、４４Ｌ、１４４Ｌ……フロント扉左側係合部、４６ａ、２４６ａ……外壁板、４６ｂ、３４６ｂ、４４６ｂ……前側蝶番取付板、４６ｃ、２４６ｃ、４４６ｃ……上端板、４６ｄ、２４６ｄ、４４６ｄ……下側金庫取付板、４６ｅ、２４６ｅ……後側サイドパネル取付板、４６ｆ、２４６ｆ……左側サイドパネル取付板、３４６ｂ１……前側蝶番取付板下側延伸部、４４６ｃ１……上端板延伸部、４４６ｄ１……下側金庫取付板延伸部、４８ａ、４８ｂ、４８ｃ、４８ｄ、４８ｅ、４８ｆ、４８ｇ、２４８ａ、２４８ｂ、２４８ｃ、２４８ｄ、２４８ｇ、３４８ｈ……孔部、４９Ｕ、４９Ｄ……切欠、５０、２５０……蝶番、５１、２５１……支持部、５１Ｈ……支点穴、５２、２５２……固定板、５３ａ、５３ｂ……孔部、６０Ｕ、６０Ｃ、２６０Ｃ……蝶番部、６２ａ……外壁板、６２ｂ……前側板、６２ｃ……上端板、６２ｄ……下側金庫取付板、６２ｅ……後側サイドパネル取付板、６２ｆ……右側サイドパネル取付板、６４ａ、６４ｂ、６４ｃ、６４ｄ、６４ｇ……孔部、６５Ｕ、６５Ｄ……切欠、６６……ロック孔部、６７……ロック検知部、７０……サイドパネル取付部、７２……連結部、７４……蝶番取付部。
【図１】
2020017014.tif 000003
【図２】
2020017014.tif 000004
【図３】
2020017014.tif 000005
【図４】
2020017014.tif 000006
【図５】
2020017014.tif 000007
【図６】
2020017014.tif 000008
【図７】
2020017014.tif 000009
【図８】
2020017014.tif 000010
【図９】
2020017014.tif 000011
【図１０】
2020017014.tif 000012
【図１１】
2020017014.tif 000013
【図１２】
2020017014.tif 000014
【図１３】
2020017014.tif 000015
【図１４】
2020017014.tif 000016
【図１５】
2020017014.tif 000017
【図１６】
2020017014.tif 000018